(57)【特許請求の範囲】
【請求項１】
カード情報取得部と生体情報取得部を有し、カードから取得したカード情報と前記生体情報取得部にて取得した生体情報との比較結果に基づき本人確認を行う自動取引装置であって、
カードを持って手を前記カード情報取得部に伸ばし、手首を固定する固定部に置くと、ちょうど前記生体情報取得部上に手のひらが乗るようにしたことを特徴とする自動取引装置。
【請求項２】
カード情報取得部と生体情報取得部を有し、カードから取得したカード情報と前記生体情報取得部にて取得した生体情報との比較結果に基づき本人確認を行う自動取引装置であって、
指固定部に指を置き、カードを持って手を前記カード情報取得部に伸ばして置くと、ちょうど前記生体情報取得部上に指が乗るようにしたことを特徴とする自動取引装置。
【発明の詳細な説明】
【技術分野】
【０００１】
本発明は、生体情報を用いて本人確認する機能を有する自動取引装置に関するものである。
【背景技術】
【０００２】
近年、キャッシュカードの盗難や偽造或いはパスワードの盗聴や不正な読み取りによって第三者が本人になりすまして金融機関やコンビニエンスストア等に設置される自動取引装置から現金を引き出す被害が増加している。
【０００３】
これらの被害を防止するために、前記自動取引装置において、生体認証を行うための生体センサを取り付け、本人確認のセキュリティ性を向上させるようにしている。ここで、生体センサとは、指紋や指や手のひらなどの静脈を検出するものや虹彩を検出するものが一般的である。
【０００４】
また、キャッシュカードにおいても、従来の磁気ストライプではなく、偽造や不正な読み取りが困難なＩＣカードに移行し始めている。
【０００５】
前記従来の自動取引装置では、顧客が、取引選択をし、キャッシュカードを挿入すると、キャッシュカードから生体情報を読み出す。次に、生体センサに顧客の手や指を情報取得部にかざすと、顧客の生体情報を取得して、前記キャッシュカードから読み出した生体情報と情報取得部にて取得した生体情報を比較して一致したときに、取引を開始できるようになっている。
【０００６】
以上のように、従来の自動取引装置では、キャッシュカードを挿入させ生体情報を読み出すという動作と、生体センサによる生体情報を取得しマッチングを行う動作と、２つの動作が必要であった（例えば、特許文献１参照）。
【特許文献１】特開平９−３０５８３４号公報
【発明の開示】
【発明が解決しようとする課題】
【０００７】
しかしながら、従来の自動取引装置では、キャッシュカード読取部と生体認証を行うセンサ部が離れており、１つの動作で本人確認動作を行うことができず、顧客にとっては、煩わしい複数の操作を行う必要があり、その改善が望まれていた。
【課題を解決するための手段】
【０００８】
本発明は、前述の課題を解決するために次の手段を採用する。すなわち、本発明は、カード情報取得部と生体情報取得部を有し、カードから取得したカード情報と前記生体情報取得部にて取得した生体情報との比較結果に基づき本人確認を行う自動取引装置であって、カードを持って手を前記カード情報取得部に伸ばし、手首を固定する固定部に置くと、ちょうど前記生体情報取得部上に手のひらが乗るようにした。或いは別の発明では、カード情報取得部と生体情報取得部を有し、カードから取得したカード情報と前記生体情報取得部にて取得した生体情報との比較結果に基づき本人確認を行う自動取引装置であって、指固定部に指を置き、カードを持って手を前記カード情報取得部に伸ばして置くと、ちょうど前記生体情報取得部上に指が乗るようにした。
【発明の効果】
【０００９】
本発明の自動取引装置によれば、カード情報取得部と生体情報取得部を有し、カードから取得したカード情報と前記生体情報取得部にて取得した生体情報との比較結果に基づき本人確認を行う自動取引装置であって、カードを持って手を前記カード情報取得部に伸ばし、手首を固定する固定部に置くと、ちょうど前記生体情報取得部上に手のひらが乗るようにし、或いはカード情報取得部と生体情報取得部を有し、カードから取得したカード情報と前記生体情報取得部にて取得した生体情報との比較結果に基づき本人確認を行う自動取引装置であって、指固定部に指を置き、カードを持って手を前記カード情報取得部に伸ばして置くと、ちょうど前記生体情報取得部上に指が乗るようにしたので、１つの動作でカード情報および生体情報を取得でき、本人確認ために複数の操作を行う必要がない。
【発明を実施するための最良の形態】
【００１０】
以下、本発明に係る実施の形態例を、図面を用いて説明する。なお、本発明の自動取引装置としては、鉄道の切符や定期券、航空券、入場券、勝馬投票券等のチケット、証券、商品券、紙幣等を取扱うものがあるが、以下に示す実施例においては、一般的な現金の預金支払などを行う現金自動取引装置をその一例として説明する。また、生体認証としては、静脈認証や虹彩による認証があるが、以下の実施例の説明では、一般的な指紋認証や静脈認証を例として説明する。
【実施例１】
【００１１】
実施例１の自動取引装置は、ＩＣカードを持ってカード情報取得部に近づけると、おのずと生体認証を行う手のひらが生体情報取得部に近づくようにしたものである。
【００１２】
（構成）
図１は実施例１の自動取引装置の構成図であり、図２は実施例１の自動取引装置の制御系ブロック図である。同図において、１は銀行等の金融機関の営薬店やコンビニエンスストア等の店舗に設置される自動取引装置であり、顧客との間で現金の入出金等の取引を自動で行う。
【００１３】
２は制御部であり、図２に示すように磁気ディスク３を備えており、その磁気ディスク３に格納されている制御プログラムに基づいて、自動取引装置１の各部の動作を制御して各種の取引を遂行する機能を有する。
【００１４】
４は記憶部であり、制御部２による処理結果等を記憶する機能を有する。５は表示操作部であり、自動取引装置１の正面の接客面に露出させて設けられており、表示面を上に向けたＣＲＴディスプレイまたは液晶ディスプレイ等の表示部と、表示部上に配置したタッチパネル等の入力部により構成され、各種取引における顧客の操作を誘導するメッセージを配した画面やそのための入力キーを表示し、その入カキーをタッチパネル上から指で押下することにより、入カキーに定義された情報を入力でき、入力された情報の表示等も行うようになっている。
【００１５】
６は情報取得部であり、その上に置かれた顧客の手や指から生体情報を取得する機能を有しており、前記接客面に設けられている。なお、本発明において、情報取得部６は顧客から見て表示操作部５の右隣に配置された例を示しているが、コンビニエンスストアに設置される自動取引装置のように表示操作部５が垂直面に配置されている場合には、顧客から見て右側の操作しやすい位置に配置される。
【００１６】
７は現金入出金部であり、取引に伴う現金の入出金処理を行うもので、紙幣を取扱う紙幣入出金機と硬貨を取扱う硬貨入出金機により構成され、その紙幣入出金口と硬貨出金口は前記接客面に設けられている。
【００１７】
８はスピーカであり、顧客との取引中の音声案内等を出力する機能を有する。本例では、左右２箇所設けているが、いずれか１つでも勿論よい。９は顧客との取引結果を明細票に印刷して返却する返却口であり、前記接客面に設けられている。
【００１８】
上記ＩＣカードのカード情報には、顧客氏名と金融機関コード、支店コード、口座番号、顧客が口座開設の際に登録した手の静脈パタンなどの登録生体情報、今までの取引履歴を記億した取引履歴情報等が含まれる。
【００１９】
図３は実施例１の自動取引装置１の情報取得部６の周辺の構成を示す図である。実施例１の自動取引装置にて認証に用いる箇所は図４に示した手のひら２１である。ＩＣカード１０の読み書きを行うカード情報取得部１１と、手のひらの静脈パタンを読み取る生体情報取得部１２は、カード情報取得部１１に隣接していて情報取得部６として構成されている。
【００２０】
そして、ＩＣカード１０を読み書きさせるためにＩＣカード１０を持って手をカード情報取得部１１に伸ばし、手首を固定する手首固定部１５に置くと、ちょうど生体情報取得部１２上に手のひら２１が乗るようになっている。
【００２１】
（動作）
以上の構成により実施例１の自動取引装置は、以下のように動作する。図５は、実施例１の自動取引装置の動作フローチャートである。
【００２２】
まず、顧客が取引選択をすると（ステップＳ２００）、制御部２は、表示操作部５に、図６に示したように、ＩＣカード１０を手に持ってカード情報取得部１１に近づけながら手のひら２１を生体情報取得部１２上に乗せるようにガイダンス表示し（ステップＳ２０１）、ＩＣカード１０の読み書きを行うカード情報取得部１１および生体情報取得部１２にデータ取得コマンドを送信する（ステップＳ２０２）。なお、前記ガイダンス表示に代えてスピーカ８にて音声ガイダンスするようにしてもよいし、併せて音声ガイダンスするようにしてもよい。
【００２３】
すると、カード情報取得部１１はＩＣカード１０が接近したことを検知し、生体情報等を読み取り、一方、生体情報取得部１２は手が近づけられたことを検知して生体情報の読み取りを行う。
【００２４】
一方、制御部２は、カード情報取得部１１からの応答を確認し（ステップＳ２０３）、次に、生体情報取得部１２からの応答を確認する（ステップＳ２０４）。生体情報取得部１２からの応答がないときは、時間監視を行い（ステップＳ２０５）、所定の時間、手の接近がなく生体情報取得部１２からの応答がないときは、タイマー監視をした回数をカウントし（ステップＳ２０６）、所定の回数以下の場合は、表示操作部５に前述図６の画面を表示し（ステップＳ２０７）、ステップＳ２０２に戻り、同様に以降の処理を行う。
【００２５】
ステップＳ２０３にてＩＣカード１０の接近を検知しステップＳ２０４にて、生体情報取得部１２が手の接近を検知したときは、図中連結符号２に進み、ＩＣカード１０および生体情報取得部１２にて読み取った生体情報を記憶部４に保存する（ステップＳ２０８）
【００２６】
そして、当該生体情報同士を照合し認証を行う（ステップＳ２０９）。認証が成功したときは、取引処理に移行する（ステップＳ２１０）。
【００２７】
一方、認証が失敗したときは、所定の回数認証に失敗したかどうかを判定し（ステップＳＳ２１１）、所定の回数以下のときは前述図６の画面を表示し（ステップＳ２１２）、図中連結符号１に進み、ステップＳ２０２に戻って、以降の処理を行う。
【００２８】
一方、ステップＳ２１１にて所定の回数、認証を繰り返しても認証できないときは、図中連結符号３に進み、生体データ取得コマンドをキャンセルし（ステップＳ２１３）、暗証番号による認証処理に移行し（ステップＳ２１４）、認証されたときは、取引処理を実行する（ステップＳ２１５）。
【００２９】
以上説明したように、顧客は、図３に示したように、ＩＣカード１０を持ち、ＩＣカード１０をカード情報取得部１１に近づけると、おのずと静脈認証の生体情報取得部１２上に手のひら２１が乗り、そのまま静止するだけで認証が行われる。このとき、ＩＣカード１０は財布等に入れたままでもよいし、ＩＣカード１０に代えて、非接触ＩＣカード機能を備えた携帯電話を用いるようにすることもできる。
【００３０】
（実施例１の効果）
以上のように、実施例１の自動取引装置によれば、ＩＣカードを持ってカード情報取得部に近づけると、おのずと生体認証を行う手のひらが生体情報取得部に近づくようにしたので、ＩＣカードの読み取りと生体認証を１つの動作で行うことができる。
【実施例２】
【００３１】
実施例２の自動取引装置は、ＩＣカードを持ってカード情報取得部にＩＣカードを近づけると、おのずと生体認証を行う指が生体情報取得部の上に乗るようにしたものである。
【００３２】
（構成）
実施例２の自動取引装置の情報取得部６の構成以外は、実施例１の自動取引装置の構成と同様であるので、簡略化のためにその説明を省略する。また、実施例２の自動取引装置の制御系は、図２に示した実施例１の制御系の構成と同様であるので、簡略化のためにその説明を省略する。
【００３３】
図７は、実施例２の自動取引装置の情報取得部６周辺の構成を示した図である。同図に示したように、実施例２の自動取引装置にて認証に用いる部分は、図４に示した中指２２となる。なお、後述の生体情報取得部１２の位置を変えることにより他の指を認証に用いるようにすることもできる。
【００３４】
実施例２の自動取引装置は、ＩＣカード１０の読み書きを行うカード情報取得部１１と指紋あるいは指静脈パタンを読み取る生体情報取得部１２を隣接させて情報取得部６とし、ＩＣカード１０を読み書きさせるために指固定部１５ａに中指を置き、手をカード情報取得部１１に伸ばして置くと、ちょうど生体情報取得部１２の上に中指２２が乗るようになっている。
【００３５】
（動作）
以上の構成により実施例２の自動取引装置は、以下のように動作する。なお、認証動作全体の流れは図５を用いて説明した実施例１の動作と同様である。
【００３６】
まず、顧客が、表示操作部５に表示されたガイダンスに従い、図７に示したように、ＩＣカード１０を持ち、ＩＣカード１０をカード情報取得部１１に近づけ、生体情報取得部１２に中指２２を乗せ、手を静止する。すると、カード情報取得部１１にてＩＣカード１０の接近を検出してＩＣカード１０から生体情報を取得し、生体情報取得部１２にて中指２２の接近を検出して生体情報取得部１２から中指２２の生体情報を取得し、取得した生体情報同士を比較して本人確認を行い、取引を開始する。
【００３７】
以上説明したように、顧客は、図７に示したように、ＩＣカード１０を持ち、ＩＣカード１０をカード情報取得部１１に近づけながら、静脈認証を行う生体情報取得部１２上に指２２を乗せ、手を静止するだけで認証が行われる。このとき、ＩＣカード１０は財布等に入れたままでもよいし、ＩＣカード１０に代えて、非接触ＩＣカード機能を備えた携帯電話を用いるようにすることもできる。この操作を考慮し、カード情報取得部１１と生体情報取得部１２に段差を設け、カード情報取得部１１を低くするようにするのがよい。
【００３８】
なお、以上説明したように指の静脈パタンによる認証を行うのではなく、指紋による認証を行うようにしてもよいし、指紋による認証とともに行うようにしてもよい。
【００３９】
（実施例２の効果）
以上のように、実施例２の自動取引装置によれば、カード情報取得部にＩＣカードを近づけると、おのずと生体認証を行う指が生体情報取得部の上に乗るようにしたので、ＩＣカードの読み取りと生体認証を１つの動作で行うことができる。
【実施例３】
【００４０】
実施例３の自動取引装置は、ＩＣカードを持ってカード情報取得部にＩＣカードを近づけると、おのずと生体認証を行う手の側面が生体情報取得部に近づくようにしたものである。
【００４１】
（構成）
実施例３の自動取引装置の情報取得部６の構成以外は、実施例１の自動取引装置の構成と同様であるので、簡略化のためにその説明を省略する。また、実施例３の自動取引装置の制御系についても、図２に示した実施例１の制御系の構成と同様であるので、簡略化のためにその説明を省略する。
【００４２】
図８は、実施例３の自動取引装置の情報取得部６周辺の構成を示した図である。同図に示したように、実施例３の自動取引装置にて認証に用いる部分は、図４に示した手の側面部２３となる。
【００４３】
実施例３の自動取引装置は、ＩＣカード１０の読み書きを行うカード情報取得部１１と手の側面部２３を読み取る生体情報取得部１２を隣接させて情報取得部６とし、ＩＣカード１０を読み書きさせるために手をカード情報取得部１０に伸ばし、手首固定部１５に手首を乗せると、ちょうど生体情報取得部上に手の側面部２３が乗るようになっている。
【００４４】
（動作）
以上の構成により実施例３の自動取引装置は、以下のように動作する。なお、認証動作全体の流れは図５を用いて説明した実施例１の動作と同様である。
【００４５】
まず、顧客が、表示操作部５に表示されたガイダンスに従い、図８に示したように、ＩＣカード１０を持ち、ＩＣカード１０をカード情報取得部１１に近づけ、生体情報取得部１２に手の側面２３を乗せ、手を静止する。すると、カード情報取得部１１にてＩＣカード１０の接近を検出してＩＣカード１０から生体情報を取得し、生体情報取得部１２にて手の側面２３の接近を検出して生体情報取得部１２から手の側面２３の生体情報を取得し、取得した生体情報同士を比較して本人確認を行い、取引を開始する。
【００４６】
以上説明したように、顧客は、図８に示したように、ＩＣカード１０を持ち、ＩＣカード１０をカード情報取得部１１に近づけながら、生体情報取得部１２上に手の側面２３を乗せ、手を静止するだけで認証が行われる。このとき、ＩＣカード１０は財布等に入れたままでもよいし、ＩＣカード１０に代えて、非接触ＩＣカード機能を備えた携帯電話を用いるようにすることもできる。この操作を考慮し、カード情報取得部１１と生体情報取得部１２に段差を設け、カード情報取得部１１を低くするようにするのがよいことは実施例２と同様である。
【００４７】
（実施例３の効果）
以上のように、実施例３の自動取引装置によれば、ＩＣカードを手に持ってカード情報取得部にＩＣカードを近づけると、おのずと生体認証を行う手の側面が生体情報取得部に近づくようにしたので、ＩＣカードの読み取りと生体認証を１つの動作で行うことができる。
【実施例４】
【００４８】
実施例４の自動取引装置は、ＩＣカードを持ってカード情報取得部にＩＣカードを近づけると、おのずと生体認証を行う指の第３関節部が生体情報取得部に近づくようにしたものである。
【００４９】
（構成）
実施例４の自動取引装置の情報取得部６の構成以外は、実施例１の自動取引装置の構成と同様であるので、簡略化のためにその説明を省略する。また、実施例４の自動取引装置の制御系についても、図２に示した実施例１の制御系の構成と同様であるので、簡略化のためにその説明を省略する。
【００５０】
図９は、実施例４の自動取引装置の情報取得部６周辺の構成を示した図である。同図に示したように、実施例４の自動取引装置にて認証に用いる部分は、図４に示した指の第３関節部２４となる。
【００５１】
実施例４の自動取引装置は、ＩＣカード１０の読み書きを行うカード情報取得部１１と指の第３関節部２４を読み取る生体情報取得部１２を隣接させて情報取得部６とし、ＩＣカード１０を読み書きさせるために手をカード情報取得部１０に伸ばし、手首固定部１５に手首を乗せると、ちょうど生体情報取得部上に指の第３関節部２４が乗るようになっている。
【００５２】
（動作）
以上の構成により実施例４の自動取引装置は、以下のように動作する。なお、認証動作全体の流れは図５を用いて説明した実施例１の動作と同様である。
【００５３】
まず、顧客が、表示操作部５に表示されたガイダンスに従い、図９に示したように、ＩＣカード１０を持ち、ＩＣカード１０をカード情報取得部１１に近づけ、生体情報取得部１２に指の第３関節部２４を乗せ、手を静止する。すると、カード情報取得部１１にてＩＣカード１０の接近を検出してＩＣカード１０から生体情報を取得し、生体情報取得部１２にて指の第３関節部２４の接近を検出して生体情報取得部１２から指の第３関節部２４の生体情報を取得し、取得した生体情報同士を比較して本人確認を行い、取引を開始する。
【００５４】
以上説明したように、顧客は、図９に示したように、ＩＣカード１０を持ち、ＩＣカード１０をカード情報取得部１１に近づけながら、生体情報取得部１２上に指の第３関節部２４を乗せ、手を静止するだけで認証が行われる。このとき、ＩＣカード１０は財布等に入れたままでもよいし、ＩＣカード１０に代えて、非接触ＩＣカード機能を備えた携帯電話を用いるようにすることもできることは実施例１と同様である。
【００５５】
（実施例４の効果）
以上のように、実施例４の自動取引装置によれば、ＩＣカードを持ってカード情報取得部にＩＣカードを近づけると、おのずと生体認証を行う指の第３関節部が生体情報取得部に近づくようにしたので、ＩＣカードの読み取りと生体認証を１つの動作で行うことができる。
【実施例５】
【００５６】
実施例５の自動取引装置は、ＩＣカードを持ってカード情報取得部にＩＣカードを近づけると、おのずと生体認証を行う手の甲が生体情報取得部に近づくようにしたものである。
【００５７】
（構成）
実施例５の自動取引装置の情報取得部６の構成以外は、実施例１の自動取引装置の構成と同様であるので、簡略化のためにその説明を省略する。また、実施例５の自動取引装置の制御系についても、図２に示した実施例１の制御系の構成と同様であるので、簡略化のためにその説明を省略する。
【００５８】
図１０は、実施例５の自動取引装置の情報取得部６周辺の構成を示した図である。同図に示したように、実施例５の自動取引装置にて認証に用いる部分は、図４に示した手の甲２５となる。
【００５９】
実施例５の自動取引装置は、ＩＣカード１０から情報を取得するカード情報取得部１１と手の甲２５を読み取る生体情報取得部１２を重ねて配置して情報取得部６とし、顧客がＩＣカード１０を持った手をカード情報取得部１１に伸ばし、手首固定部１５に手首を乗せると、ちょうど生体情報取得部１２の上に手の甲２５が乗るようになっている。
【００６０】
（動作）
以上の構成により実施例５の自動取引装置は、以下のように動作する。なお、認証動作全体の流れは図５を用いて説明した実施例１の動作と同様である。
【００６１】
まず、顧客が、表示操作部５に表示されたガイダンスに従い、図１０に示したように、ＩＣカード１０を持ち、ＩＣカード１０をカード情報取得部１１に近づけ、生体情報取得部１２に手の甲２５を乗せ、手を静止する。すると、カード情報取得部１１にてＩＣカード１０の接近を検出してＩＣカード１０から生体情報を取得し、生体情報取得部１２にて手の甲２５の接近を検出して生体情報取得部１２から手の甲２５の生体情報を取得し、取得した生体情報同士を比較して本人確認を行い、取引を開始する。
【００６２】
以上説明したように、顧客は、図１０に示したように、ＩＣカード１０を持ち、ＩＣカード１０をカード情報取得部１１に近づけると、おのずと生体情報取得部１２上に手の甲２５が乗り、そのまま手を静止するだけで認証が行われる。このとき、ＩＣカード１０は財布等に入れたままでもよいし、ＩＣカード１０に代えて、非接触ＩＣカード機能を備えた携帯電話を用いるようにすることもできることは実施例１と同様である。
【００６３】
（実施例５の効果）
以上のように、実施例５の自動取引装置によれば、カード情報取得部と生体情報取得部を重ねて配置しカード情報取得部にＩＣカードを近づけると、おのずと生体認証を行う手の甲が生体情報取得部に近づくようにしたので、ＩＣカードの読み取りと生体認証を１つの動作で行うことができる。
【実施例６】
【００６４】
実施例６の自動取引装置は、ＩＣカードを持ってカード情報取得部にＩＣカードを近づけると、おのずと生体認証を行う指が生体情報取得部に入れられるようにしたものである。
【００６５】
（構成）
実施例６の自動取引装置の情報取得部６の構成以外は、実施例１の自動取引装置の構成と同様であるので、簡略化のためにその説明を省略する。また、実施例２の自動取引装置の制御系は、図２に示した実施例１の制御系の構成と同様であるので、簡略化のためにその説明を省略する。
【００６６】
図１１は、実施例６の自動取引装置の情報取得部６周辺の構成を示した図である。同図に示したように、実施例６の自動取引装置にて認証に用いる部分は、図４に示した中指２２となる。後述の生体情報取得部１２の位置を変えることにより他の指を認証に用いるようにすることもできることは、実施例２と同様である。
【００６７】
実施例６の自動取引装置は、ＩＣカード１０の読み書きを行うカード情報取得部１１と指紋あるいは指静脈パタンを読み取る生体情報取得部１２を隣接させて情報取得部６とし、ＩＣカード１０を読み書きさせるために手首固定部１５に手首を置き、手をカード情報取得部１１に伸ばして置くと、ちょうど生体情報取得部１２の上に中指２２が入るようになっている。
【００６８】
（動作）
以上の構成により実施例２の自動取引装置は、以下のように動作する。なお、認証動作全体の流れは図５を用いて説明した実施例１の動作と同様である。
【００６９】
まず、顧客が、表示操作部５に表示されたガイダンスに従い、図１１に示したように、ＩＣカード１０を持ち、ＩＣカード１０をカード情報取得部１１に近づけ、生体情報取得部１２に中指２２を入れ、手を静止する。すると、カード情報取得部１１にてＩＣカード１０の接近を検出してＩＣカード１０から生体情報を取得し、生体情報取得部１２にて中指２２が入れられたことを検出して生体情報取得部１２から中指２２の生体情報を取得し、取得した生体情報同士を比較して本人確認を行い、取引を開始する。
【００７０】
以上説明したように、顧客は、図１１に示したように、ＩＣカード１０を持ち、ＩＣカード１０をカード情報取得部１１に近づけながら、静脈認証を行う生体情報取得部１２上に指２２を入れ、手を静止するだけで認証が行われる。このとき、ＩＣカード１０は財布等に入れたままでもよいし、ＩＣカード１０に代えて、非接触ＩＣカード機能を備えた携帯電話を用いるようにすることもできることは実施例１と同様である。
【００７１】
なお、以上のように指静脈認証を行うのではなく、指紋による認証を行うようにしてもよいし、指紋による認証とともに行うようにしてもよいことは実施例２と同様である。
【００７２】
（実施例６の効果）
以上のように、実施例６の自動取引装置によれば、ＩＣカードを手に持ってカード情報取得部にＩＣカードを近づけながら、生体認証を行う指が生体情報取得部に入れられるようにしたので、ＩＣカードの読み取りと生体認証を１つの動作で行うことができる。
【００７３】
《その他の変形例》
（１）以上の実施例の説明では、ＩＣカードを持ってカード情報取得部にＩＣカードを近づけると、おのずと生体認証する手の部分が１つの生体情報取得部に近づくようにし、それぞれ取得したカード情報と生体情報との比較結果に基づき本人確認を行うようにしたと説明したが、生体情報取得部を複数設け、複数の部分の静脈パタンや指紋を取得し、これらの情報を用いて認証するようにすれば、さらに本人確認のセキュリティ性を向上させることができる。
【００７４】
例えば、実施例５と実施例６を組合せ、図１０のようにカード情報取得部と手の甲の静脈パタンを取得する生体情報取得部を重ねた構成とし、図１１のように指の生体情報を取得する生体情報取得部をも設けるようにすれば、手の甲の静脈パタン、指の指紋や指の静脈パタンをも取得できるので、これらの情報を用いて本人確認をすることもできる。
【００７５】
（２）また、以上の実施例の説明では、生体情報取得部の位置については、特に説明しなかったが、男性、女性でも手の大きさが変わり、或いは年齢によっても手の大きさは変化するので、手の大きさを検出し、生体情報取得部のセンサ範囲を越える場合は、生体情報取得部のセンサ位置を移動するようにしてもよい。
【００７６】
（３）また、以上の実施例の説明では、ＩＣカード内に生体情報を格納し、ＩＣカードから本人の生体情報を取得するように説明したが、ＩＣカードに本人を識別する番号情報を格納しておき、当該情報に基づき、他の記憶部から本人の生体情報を読み出し、生体情報取得部からの情報との比較により本人確認を行うようにしてもよい。
【００７７】
（４）また、以上の実施例の説明では、カード情報取得部から取得した生体情報と、生体情報取得部から取得した生体情報を、自動取引装置１にて行うように説明したが、ＩＣカード内に比較照合部を設け比較照合するようにしてもよいし或いはホストコンピュータ等にて比較照合するようにし、その結果を制御部２に通知するようにしてもよい。
【産業上の利用可能性】
【００７８】
以上述べたように、本発明は、生体情報を用いて本人確認する機能を有する自動取引装置などに広く用いることができる。
【図面の簡単な説明】
【００７９】
【図１】実施例１の自動取引装置の構成図である。
【図２】実施例１の自動取引装置の制御系ブロック図である。
【図３】実施例１の自動取引装置の動作説明図である。
【図４】認証箇所を説明する図である。
【図５】実施例１の自動取引装置の動作フローチャートである。
【図６】実施例１の自動取引装置の画面表示例である。
【図７】実施例２の自動取引装置の動作説明図である。
【図８】実施例３の自動取引装置の動作説明図である。
【図９】実施例４の自動取引装置の動作説明図である。
【図１０】実施例５の自動取引装置の動作説明図である。
【図１１】実施例６の自動取引装置の動作説明図である。
【符号の説明】
【００８０】
１      自動取引装置
２      制御部
４      記憶部
５      表示操作部
６      情報取得部
８      スピーカ
９      明細票返却口
１０    ＩＣカード
１１    カード情報取得部
１２    生体情報取得部
１５    手首固定部
１５ａ  指固定部
２１    手のひら
２２    中指
２３    手の側面部
２４    指の第３関節
２５    手の甲
【図１】
0005181428.tif 000002
【図２】
0005181428.tif 000003
【図３】
0005181428.tif 000004
【図４】
0005181428.tif 000005
【図５】
0005181428.tif 000006
【図６】
0005181428.tif 000007
【図７】
0005181428.tif 000008
【図８】
0005181428.tif 000009
【図９】
0005181428.tif 000010
【図１０】
0005181428.tif 000011
【図１１】
0005181428.tif 000012